(57)【要約】本発明は、電流供給用の二つのターミナル（１、２）と、ターミナル間に延展し、かつ白熱ゾーンを含む少なくとも一つの脚状物（３）とを含むけい化モリブデン型の電気抵抗エレメントに関する。本発明は、白熱ゾーンが脚状物（３；４、５）の異なった区画（６〜１１、１４〜１７）に沿って異なった直径を有することを特徴とする。
2005519427.tif 000002
【特許請求の範囲】
【請求項１】
電流供給用の二つのターミナル（１、２）と、前記ターミナル間に延展し、かつ白熱ゾーンを含む少なくとも一つの脚状物（３）とを含むけい化モリブデン型の電気抵抗エレメントであって、前記白熱ゾーンが前記脚状物（３；４、５）の異なった区画（６〜１１、１４〜１７）に沿って異なった直径を有することを特徴とする上記エレメント。
【請求項２】
ターミナル（１、２）間に、エレメントが二つの脚状物と一つだけの湾曲部分（３）を有することを特徴とする請求項１に記載の抵抗エレメント。
【請求項３】
ターミナル（１、２）間に、エレメントが三つ以上の脚状物と二つ以上の湾曲部分（４、５）を有することを特徴とする請求項１に記載の抵抗エレメント。
【請求項４】
エレメントが一つの脚状物（３）、二つの脚状物（４、５）、又はそれ以上の脚状物を有し、その一つ、二つ又はそれ以上の脚状物若しくはその部分が、ターミナル（１、２）が位置する面とある角度を規定することを特徴とする請求項１、２又は３に記載の抵抗エレメント。
【請求項５】
白熱ゾーンが、前記脚状物の異なる区画（６〜８）に沿って異なる直径を有し、前記区画の直径が、それぞれの区画（６〜８）が設けられているターミナル（１、２）から遠くなるほど小さくなることを特徴とする請求項１、２、３又は４に記載の抵抗エレメント。
【請求項６】
白熱ゾーンが、脚状物（４、５）の異なる区画（１４〜１７）に沿って異なる直径を有し、前記区画の直径が、前記区画がターミナル（１、２）に近くなるほど小さくなることを特徴とする請求項１、２、３又は４に記載の抵抗エレメント。
【請求項７】
白熱ゾーンが前記脚状物（３）の異なる区画（９〜１１）に沿って異なる直径を有し、前記区画の直径が、前記脚状物又は複数の脚状物に沿って上方及び下方で変化することを特徴とする請求項１、２、３又は４に記載の抵抗エレメント。
【発明の詳細な説明】
【技術分野】
【０００１】
本発明は、けい化モリブデン型の電気抵抗エレメントに関する。
【背景技術】
【０００２】
このようなエレメントは、その異なる合金含有量に関して長い間様々な形態で知られてきた。スウェーデンのＫａｎｔｈａｌ  ＡＢはそうしたエレメントの製造業者である。これらの種類のエレメントはけい化モリブデン型エレメントとして総括され、オーブン、及び異なった種類の表面、例えば物体上又はクッカープレートあるいはその他の表面上を輻射する輻射表面などを加熱するのに長い間使用されてきた。
【０００３】
けい化モリブデンエレメントは様々な形態で作製される。典型的な形態は、その一方の末端で二つの電気コンダクター若しくはターミナル間に延展し、他方の末端でアーチ型若しくは湾曲部分と連結する二つの脚状物（ｌｅｇ）を含んで成る、いわゆる脚状エレメントである。脚状エレメントは一つ、二つ又はそれ以上の脚状物から成ることができる。二脚エレメント又は多脚エレメントは、コンダクター間に延展する一つ又は複数の湾曲部分を含む。その脚状物は、白熱ゾーン、すなわち電流が供給された時に白熱化しそれによって物体に熱を提供するエレメントの部分を構成する。
【０００４】
工業炉、オーブン及びその他の同様のもので経験される一つの問題は、炉の空間内で十分に一様な温度分布を維持すること、あるいは輻射表面からの十分に一様な熱輻射を実現することがしばしば困難であるということである。一様でない温度分布又は一様でない輻射ということは、加熱される空間又は物体が一様に加熱されないことを意味し、このことは非常に問題である。
【０００５】
具体的な例は、液体−金属レードルを予備加熱させる場合である。抵抗エレメントを使用した場合、レードルの底がレードルの内壁ほど熱くはならないので、レードルの一様でない加熱は問題を起こす。
【０００６】
この問題を解決するために知られている方法では、個別に制御することができ、それによって異なったエレメントが異なった大きな強度のパワーを提供できる多数のエレメント又はエレメントのグループの設置を必要とする。
【発明の開示】
【発明が解決しようとする課題】
【０００７】
本発明は一様でない加熱によって引き起こされる問題を解決する。
【課題を解決するための手段】
【０００８】
したがって、本発明は、電流供給用の二つのターミナルと、ターミナル間に延展し、かつ白熱ゾーンを含む少なくとも一つの脚状物を含むけい化モリブデン型の電気抵抗エレメントであって、異なる脚状物区画に沿って異なる直径を有する白熱ゾーンを特徴とするエレメントに関する。
【発明を実施するための形態】
【０００９】
ここで本発明を、添付の図に示す本発明の実施形態を一部参照して、より詳細に説明することとする。
【００１０】
分かり易くするために、エレメントの特定の部分の各寸法を図中に示した。しかし、これらの寸法は単に実施例として示しただけであることを理解されるであろう。図中、参照記号Ｌｕはターミナルの長さを示し、参照記号Ｌｅは白熱ゾーンの長さ、参照記号Ｌｅ１、Ｌｅ２及びＬｅ３はエレメントの白熱ゾーンの異なる区画の長さを示し、参照記号「ａ」は距離を示す。
【００１１】
一実施形態によれば、本発明の種類の電気抵抗エレメントは、二つの電気供給ターミナル１、２と、ターミナル間に延展し、かつ白熱ゾーンを含む二つの脚状物３、４、５を含む。
【００１２】
本発明によれば、白熱ゾーンは脚状物の異なった区画に沿って異なった直径を有する。
【００１３】
このことは、エレメントの使用できる各断面エリアでのアンペア数又は電流密度が相違するため、発生する熱の大きさがエレメントの異なる区画に沿って異なることを意味する。したがって、本発明は、エレメントが、その全延長に沿って存在する加熱の必要条件に適合して設計されるようにする。
【００１４】
既知のエレメントを使用するときの、レードルの内壁に比べてその底が十分に加熱されないレードルに関する上記の例の場合に、図１に示すような種類の本発明のエレメントを使用することができる。本発明のエレメントは、直径２４ｍｍのターミナル、及び上部が直径１２ｍｍであり低部が直径１０ｍｍである二つの脚状物を有する。そうしたエレメントは、より狭く、より低い部分でより熱くなる。このより高い温度は、レードルのこの区画に近接して位置する物体のその部分をより熱くさせる。
【００１５】
本発明の一実施形態によれば、エレメントは、ターミナル１、２の間にただ一つの湾曲部分３をもつ二つの脚状物を有する。図１を参照されたい。
【００１６】
本発明の他の実施形態によれば、エレメントは四つの脚状物又はそれ以上及びターミナル１、２の間に二つの湾曲部分４、５又はそれ以上を含む。図４を参照されたい。
【００１７】
本発明の種類のエレメントは、たった一つの脚状物、例えば、その各末端にターミナルを有する直線状の脚状物、で形成されていてもよい。
【００１８】
図２は、白熱ゾーンが、脚状物の異なる区画６、７、８に沿って互いに異なる直径を有し、ターミナル１、２からの区画６、７、８の距離が増大するにしたがって、それぞれの区画の直径がより小さくなっている実施形態を示す。
【００１９】
図３は、白熱ゾーンが、脚状物３の異なる区画９、１０、１１に沿って互いに異なる直径を有し、区画の直径が脚状物に沿って、上方及び下方に変化している実施形態を示す。もちろん、二つ以上の脚状物を有するエレメントに同じ設計を施すことができる。図３の実施形態では、区画９及び１１は１０ｍｍの直径を有し、区画１０は１２ｍｍの直径を有する。
【００２０】
ある種の用途の場合、白熱ゾーンは、異なる脚状物区画に沿って異なる直径を有し、区画がターミナルにより近づくほど、各区画の直径が小さくなることが好ましい。図４の実施形態では、区画１２、１３は８ｍｍの直径を有するが、区画１４〜１７は９ｍｍの直径を有する。
【００２１】
図では平面状のエレメントだけを示しているが、エレメントが、一つ又は二つ以上の脚状物若しくはその部分が、ターミナルが位置する平面とある角度を規定する二つ以上の脚状物を含むことができることを理解されるであろう。
【００２２】
エレメントを、知られている方法で容積部を加熱するように、又は輻射表面を形成するように設計することができる。さらに、垂直、水平、又は水平面に対してそれ以外の角度で取り付けるように、エレメントを設計し、可能的に支持することができる。
【００２３】
もちろん、図に示した様々な実施形態は、形状及び直径に関する例示的な実施形態である。当分野の技術者に明らかなように、エレメントは一般に個々の用途に対して所望の加熱効果をもたらす互いに異なった直径を有する任意の形状及び形態を有することができる。したがって、異なった区画が異なった直径を有する限り、本発明はどんな特定のエレメント設計にも限定されない。
【００２４】
したがって、添付の特許請求の範囲内で変更及び修正を行うことが可能であるので、本発明を、説明し図示した実施形態に限定されると考えるべきではない。
【図面の簡単な説明】
【００２５】
【図１】二脚エレメントを示す図である。
【図２】二脚エレメントを示す図である。
【図３】二脚エレメントを示す図である。
【図４】四脚エレメントを示す図である。
【図１】
2005519427.tif 000003
【図２】
2005519427.tif 000004
【図３】
2005519427.tif 000005
【図４】
2005519427.tif 000006
【手続補正書】
【提出日】平成15年11月14日(2003.11.14)
【手続補正１】
【補正対象書類名】特許請求の範囲
【補正対象項目名】全文
【補正方法】変更
【補正の内容】
【特許請求の範囲】
【請求項１】
電流供給用の二つのターミナル（１、２）と、前記ターミナル間に延展し、かつ白熱ゾーンを含む少なくとも一つの脚状物（３）とを含む、高温加熱用けい化モリブデン型の電気抵抗エレメントであって、前記エレメントがけい化モリブデン型からなり、前記白熱ゾーンが前記脚状物（３；４、５）の異なった区画（６〜１１、１４〜１７）に沿って異なった直径を有することを特徴とする、上記エレメント。
【請求項２】
ターミナル（１、２）間に、エレメントが二つの脚状物と一つだけの湾曲部分（３）を有することを特徴とする、請求項１に記載の抵抗エレメント。
【請求項３】
ターミナル（１、２）間に、エレメントが三つ以上の脚状物と二つ以上の湾曲部分（４、５）を有することを特徴とする、請求項１に記載の抵抗エレメント。
【請求項４】
エレメントが一つの脚状物（３）、二つの脚状物（４、５）、又はそれ以上の脚状物を有し、その一つ、二つ又はそれ以上の脚状物若しくはその部分が、ターミナル（１、２）が位置する面とある角度を規定することを特徴とする、請求項１、２又は３に記載の抵抗エレメント。
【請求項５】
白熱ゾーンが、前記脚状物の異なる区画（６〜８）に沿って異なる直径を有し、前記区画の直径が、それぞれの区画（６〜８）が設けられているターミナル（１、２）から遠くなるほど小さくなることを特徴とする請求項１、２、３又は４に記載の抵抗エレメント。
【請求項６】
白熱ゾーンが、脚状物（４、５）の異なる区画（１４〜１７）に沿って異なる直径を有し、前記区画の直径が、前記区画がターミナル（１、２）に近くなるほど小さくなることを特徴とする請求項１、２、３又は４に記載の抵抗エレメント。
【請求項７】
白熱ゾーンが前記脚状物（３）の異なる区画（９〜１１）に沿って異なる直径を有し、前記区画の直径が、前記脚状物又は複数の脚状物に沿って上方及び下方で変化することを特徴とする請求項１、２、３又は４に記載の抵抗エレメント。
【国際調査報告】
2005519427.tif 000007
2005519427.tif 000008
2005519427.tif 000009